(57)【特許請求の範囲】
【請求項１】
車両に搭載されるディスプレイと、
第１の記録媒体に記録されたナビゲーション用の地図情報を提供可能なナビゲーション装置と、
第２の記録媒体に記録された映像情報及び音声情報を再生可能なディスク再生装置と、
前記ディスク再生装置からの音声情報をスピーカに出力しているときに前記ディスプレイでの表示状態を、前記ナビゲーション装置から得られる地図情報を表示する第１のモードと、少なくとも前記ディスク再生装置から得られる映像情報を表示する第２のモードに切り替えて表示可能な表示コントローラと、
前記第１のモードにおいて、前記ディスク再生装置の再生処理中にユーザ操作を要する再生モードに遷移したとき、その再生モードに遷移したことを検出して前記ディスプレイでの表示状態を前記第２のモードに切り替え、ユーザ操作後は前記第１のモードに復帰するように制御する制御部と、を具備したことを特徴とする表示装置。
【請求項２】
前記制御部は、前記第１のモードにおいて前記ディスク再生装置が前記ユーザ操作を要する再生モードになったとき、前記ディスプレイでの表示状態を前記第２のモードに切り替え、所定時間ユーザ操作がない場合は前記第２の記録媒体の予め設定された箇所を再生し前記第１のモードに復帰するように制御することを特徴とする請求項１記載の表示装置。
【請求項３】
車両に搭載されるディスプレイと、
第１の記録媒体に記録されたナビゲーション用の地図情報を提供可能なナビゲーション装置と、
第２の記録媒体に記録された映像情報及び音声情報を再生可能なディスク再生装置と、
前記ディスク再生装置で再生された音声情報をスピーカに出力しているときに前記ディスプレイでの表示状態を、前記ナビゲーション装置から得られる地図情報を表示する第１のモードと、少なくとも前記ディスク再生装置から得られる映像情報を表示する第２のモードに切り替えて表示可能な表示コントローラと、
前記第１のモードにおいて、前記ディスク再生装置の再生処理中にユーザ操作を要する再生モードになったとき、その再生モードに遷移したことを検出して前記ディスプレイでの表示状態を前記第２のモードに切り替え、所定時間内にユーザ操作があった場合はユーザの指示による処理を行って前記第１のモードに復帰し、所定時間内にユーザ操作がない場合は予めプログラムされた処理を行って前記第１のモードに復帰するように制御する制御部と、を具備したことを特徴とする表示装置。
【請求項４】
ナビゲーション用の地図情報を読出し可能なナビゲーション装置と、
ディスク状の記録媒体に記録された映像情報及び音声情報を再生可能な再生装置と、
前記地図情報または前記映像情報を選択的に表示するためのディスプレイと、
前記音声情報を出力するためのスピーカと、
前記ナビゲーション装置から得られる地図情報を前記ディスプレイ上に優先的に表示している場合においては、前記再生装置から得られる映像情報の表示を禁止して、前記再生装置から得られる音声情報を前記スピーカに供給するように制御する制御部とを備え、
前記制御部は更に、前記再生装置がユーザ操作を要する再生モードに遷移したことを検出した場合には、当該ユーザ操作を要する再生モードにかかる映像情報に限り、前記地図情報と共にもしくは前記地図情報に代えて前記ディスプレイ上に表示させることを特徴とする表示装置。
【発明の詳細な説明】
【技術分野】
【０００１】
本発明は、車両用に適した表示装置に係り、ナビゲーション装置からの地図情報の他に、ＤＶＤプレーヤ等のディスク再生装置からの映像情報を選択表示可能にした表示装置に関する。
【背景技術】
【０００２】
従来、車載用表示装置として、ナビゲーション装置とディスク再生装置（ＤＶＤプレーヤ）の複合機を搭載し、ナビゲーション装置からの地図情報とＤＶＤプレーヤからの映像情報をそれぞれ選択してディスプレイに表示可能にしたものがある。このような表示装置において、ユーザが地図情報を表示したい場合は、ナビゲーション装置からの地図情報を選択し、ＤＶＤプレーヤからの映像情報を表示したい場合はＤＶＤプレーヤからの映像情報を選択してディスプレイに出力するようにしている。
【０００３】
一方、ディスプレイにナビゲーション装置からの地図情報を表示し、スピーカからはＤＶＤプレーヤからの音声情報を出力することも可能である。これは、ユーザが運転中であって映像を注視することができない場合であり、ＤＶＤプレーヤからの映像情報は表示せずにＤＶＤの音声情報のみをスピーカに出力し、ＤＶＤの音声を聴きながら、ディスプレイには地図情報を表示する場合である。
【０００４】
ところで上記のように、ＤＶＤプレーヤは再生中であるが音声のみを出力している場合、ＤＶＤの映像が本編の画面からメニュー画面へ遷移した場合、ディスプレイにはナビゲーション装置からの地図情報を表示しているため、音声を聴いただけではメニュー画面へ遷移したことが分からないという不具合がある。
【０００５】
この場合、本編の再生を続行するためには、メニュー画面を見ながらＤＶＤプレーヤの操作が必要になるため、ディスプレイの表示をナビゲーション装置の地図情報からＤＶＤプレーヤの映像に切り替える必要があるが、それに気付かなという欠点がある。尚、ＤＶＤプレーヤの再生途中においてユーザの操作が必要となるのは、上記したメニュー画面の表示時以外にも幾つかあり、ＤＶＤプレーヤがユーザの操作を求めていてもそれに対処できないことになる。
【０００６】
特許文献１には、ＤＶＤ等の光ディスク装置を搭載したカーナビゲーション装置について記載されており、車両の停止中は記録媒体から動画と音声を再生し、車両の走行時には画像を静止画像に切り替えて音声を再生する例が記載されている。そして、車両の走行中に記録媒体の再生が終了したときは次の再生モードを決定するためタイトルメニュー画面に切り替え、操作の内容を切り替えるようにしている。
【０００７】
しかしながら、特許文献１では、記録媒体の再生終了を検出してメニュー画面に切り替えるようにしている。このため、再生の途中でユーザの操作が必要な操作入力モードに変化しても引き続き再生処理を継続する（たとえば、操作入力モード中にもＢＧＭとして音楽が流れ続ける）ような記録媒体の場合には、再生終了とはならないため、ユーザが操作入力モードに切り替わったことを音声・音楽だけでは知ることが難しいという欠点がある。特に、操作入力モード中に音声・音楽が流れる記録媒体の場合、操作入力モード前後の音声や音楽の変化だけではユーザがほとんど気づかないという問題があった。
【特許文献１】特開平１１−２５７９７３号公報
【発明の開示】
【発明が解決しようとする課題】
【０００８】
従来の表示装置では、ＤＶＤプレーヤからの映像情報は表示せずにＤＶＤの音声情報のみをスピーカに出力し、ディスプレイには地図情報を表示している場合に、ＤＶＤプレーヤがユーザの操作を求めていてもユーザがそれに気づかないという欠点がある。
【０００９】
本発明は上記事情を考慮してなされたもので、ＤＶＤプレーヤの再生中にユーザ操作を必要とする再生モードになったとき、その再生モードに遷移したことを検出してディスプレイでの表示内容を切り替え、瞬時にユーザに知らせることができるようにした表示装置を提供することを目的とする。
【課題を解決するための手段】
【００１１】
本願発明の表示装置は、車両に搭載されるディスプレイと；第１の記録媒体に記録されたナビゲーション用の地図情報を提供可能なナビゲーション装置と；第２の記録媒体に記録された映像情報及び音声情報を再生可能なディスク再生装置と；前記ディスク再生装置からの音声情報をスピーカに出力しているときに前記ディスプレイでの表示状態を、前記ナビゲーション装置から得られる地図情報を表示する第１のモードと、少なくとも前記ディスク再生装置から得られる映像情報を表示する第２のモードに切り替えて表示可能な表示コントローラと；前記第１のモードにおいて、前記ディスク再生装置の再生処理中にユーザ操作を要する再生モードに遷移したとき、その再生モードに遷移したことを検出して前記ディスプレイでの表示状態を前記第２のモードに切り替え、ユーザ操作後は前記第１のモードに復帰するように制御する制御部と；を具備したことを特徴とする。
【００１２】
また、本願発明の表示装置は、車両に搭載されるディスプレイと；第１の記録媒体に記録されたナビゲーション用の地図情報を提供可能なナビゲーション装置と；第２の記録媒体に記録された映像情報及び音声情報を再生可能なディスク再生装置と；前記ディスク再生装置で再生された音声情報をスピーカに出力しているときに前記ディスプレイでの表示状態を、前記ナビゲーション装置から得られる地図情報を表示する第１のモードと、少なくとも前記ディスク再生装置から得られる映像情報を表示する第２のモードに切り替えて表示可能な表示コントローラと；前記第１のモードにおいて、前記ディスク再生装置の再生処理中にユーザ操作を要する再生モードになったとき、その再生モードに遷移したことを検出して前記ディスプレイでの表示状態を前記第２のモードに切り替え、所定時間内にユーザ操作があった場合はユーザの指示による処理を行って前記第１のモードに復帰し、所定時間内にユーザ操作がない場合は予めプログラムされた処理を行って前記第１のモードに復帰するように制御する制御部と；を具備したことを特徴とする。
【００１３】
さらに、本願発明の表示装置は、ナビゲーション用の地図情報を読出し可能なナビゲーション装置と；ディスク状の記録媒体に記録された映像情報及び音声情報を再生可能な再生装置と；前記地図情報または前記映像情報を選択的に表示するためのディスプレイと；前記音声情報を出力するためのスピーカと；前記ナビゲーション装置から得られる地図情報を前記ディスプレイ上に優先的に表示している場合においては、前記再生装置から得られる映像情報の表示を禁止して、前記再生装置から得られる音声情報を前記スピーカに供給するように制御する制御部と；を備え、前記制御部は更に、前記再生装置がユーザ操作を要する再生モードに遷移したことを検出した場合には、当該ユーザ操作を要する再生モードにかかる映像情報に限り、前記地図情報と共にもしくは前記地図情報に代えて前記ディスプレイ上に表示させることを特徴とする。
【発明の効果】
【００１４】
本発明の表示装置では、ディスク再生装置が再生中であって音声情報のみをスピーカに出力し、ディスプレイにはナビゲーション装置からの地図情報を表示している場合に、ディスク再生装置がユーザ操作を要する再生モードに遷移したときにそれを検出して自動的に画面の表示状態を切り替えてユーザに知らせることができる。また、ユーザ操作後は元の表示状態に復帰することができる。
【発明を実施するための最良の形態】
【００１５】
以下、この発明の一実施形態について図面を参照して説明する。
【実施例１】
【００１６】
図１は本発明の表示装置の一実施形態を示すもので、全体的な構成を示す概念図であり、図２は本発明の表示装置の一実施形態の詳細な構成を示すブロック図である。
【００１７】
図1は、カーナビゲーションシステムにおける表示装置であり、ナビゲーション装置１０、ディスク再生装置（ＤＶＤプレーヤ）２０、表示コントローラ３０、ディスプレイ４０、及びスピーカ５０で構成されている。
【００１８】
ナビゲーション装置１０は、地図情報を出力するとともに音声ガイドを出力可能であり、ＤＶＤプレーヤ２０は、光ディスク（記録媒体）に記録された映像情報と音声情報を再生可能である。また、表示コントローラ３０は、ナビゲーション装置１０からの地図情報及びＤＶＤプレーヤ２０からの映像情報のいずれかを選択してディスプレイ４０に出力したり、地図情報と映像情報を合成処理してディスプレイ４０に出力するように制御する。
【００１９】
図２は、本発明の表示装置の細部構成を示すもので、ナビゲーション装置１０、ＤＶＤプレーヤ２０、表示コントローラ３０、ディスプレイ４０、スピーカ５０の他に、これらの動作を制御するシステムコントロール６０と、操作部７０、音声出力回路８０を有して成る。
【００２０】
ナビゲーション装置１０は、地図情報が記録された記録媒体１１、及びＧＰＳ受信機等の車両の現在位置を検出する手段を含み、記録媒体１１から地図情報を読み出し、車両の現在位置を示す情報を地図情報に重ねて出力する。さらにナビゲーション装置１０は、ビデオデコーダ１２と、オーディオデコーダ１３を有し、ビデオデコーダ１２は地図情報をデコードして出力し、オーディオデコーダ１３は音声ガイド等の音声情報をデコードして出力する。
【００２１】
また、ＤＶＤプレーヤ２０は、記録媒体（ＤＶＤ）２１に記録された情報を検出する光ピックアップ（図示せず）の他に、ビデオデコーダ２２と、オーディオデコーダ２３を有し、ビデオデコーダ２２は記録媒体に記録された映像情報をデコードして出力し、オーディオデコーダ２３は音声情報をデコードして出力する。
【００２２】
表示コントローラ３０は、ビデオデコーダ１２からの地図情報及びビデオデコーダ２２からの映像情報を選択／合成するビデオセレクタ３１を有し、いずれか一方の情報を選択して出力し、また両情報を合成して例えば２画面映像を出力することができる。さらに表示コントローラ３０には、ＴＶチューナ３２等の他の映像機器からの映像情報も供給され、他の映像情報も選択出力可能である。表示コントローラ３０によって、選択又は合成された情報はディスプレイ４０に供給されて表示される。
【００２３】
音声出力回路８０は、オーディオデコーダ１３，２３からの音声情報を混合してスピーカ５０に供給し、ＤＶＤプレーヤ２０からの音声情報を再生しているときにナビゲーション装置１０から音声ガイドの信号が出力された場合は混合して出力することができる。
【００２４】
システムコントローラ６０は、各部の動作を制御するもので、ＣＰＵを含むマイクロプロセッサで構成され、操作部７０からの指示入力に応答して、ナビゲーション装置１０、ＤＶＤプレーヤ２０、表示コントローラ３０等を制御する。操作部７０は、リモートコントローラ（リモコン）や、ディスプレイ４０の近くに配置された操作ボタンであり、ユーザによって操作される。
【００２５】
次に、このような本発明の表示装置の動作を図３〜図６を参照して説明する。
【００２６】
本発明において、ディスプレイ４０での表示形態としては、例えば車両が停止している場合は、ＤＶＤプレーヤ２０からの映像情報を選択して映画等を視ることができる。勿論、ナビゲーション装置１０からの地図情報を表示して地図や現在位置を確認することもできる。
【００２７】
これに対し、車両が走行中の場合、運転手はＤＶＤプレーヤ２０からの映像情報を観ることができないようにしているため、ＤＶＤプレーヤ２０からの映像情報は表示せずに音声情報のみをスピーカ５０に供給するか、ＤＶＤプレーヤ２０からの音声情報をスピーカ５０に供給してナビゲーション装置１０からの地図情報を表示するようにしている。
【００２８】
本発明では、上記のようにＤＶＤプレーヤ２０は再生中であるが音声情報みをスピーカ５０に出力し、ディスプレイ４０には地図情報を表示しているような場合に、ＤＶＤの映像が本編の画面からメニュー画面へ遷移したことを瞬時に確認できるようにした点に特徴がある。即ち、メニュー画面へ遷移した場合、本編の再生を続行するには、メニュー画面を見ながらＤＶＤプレーヤ２０の操作が必要になり、その旨をユーザ（運転手）に知らせるため、メニュー画面に遷移したときにシステムコントローラ６０で遷移したことを検出して、ディスプレイ４０の表示を地図情報からＤＶＤ２１の映像情報に切り替えて表示する。又はＤＶＤ２１の映像情報と地図情報を同時に多画面表示するように切り替える。
【００２９】
また、メニュー画面への遷移だけでなく、ＤＶＤプレーヤ２０がユーザの操作を必要とする他の再生モードに遷移したときも同様に、ディスプレイ４０の表示を地図情報からＤＶＤ２１の映像情報に切り替えて表示するものである。
【００３０】
この様子を図３に示している。図３において（ａ）は、ディスプレイ４０にナビゲーション装置１０からの地図情報を表示し、ＤＶＤプレーヤ２０は再生中であるが音声情報のみを出力している第１のモードを示している。一方、ＤＶＤプレーヤ２０がユーザの操作を必要とする再生モード、例えばメニュー画面に遷移したときには、（ｂ１）のようにＤＶＤプレーヤ２０からの映像情報をディスプレイ４０に表示するか、又は（ｂ２）のようにＤＶＤプレーヤ２０からの映像情報とナビゲーション装置１０からの地図情報を合成して多画面表示する第２のモードに切り替える。尚、（ｂ２）では多画面表示の形態として２画面並置の例を示しているが、いずれか一方の画面を子画面表示としてもよい。
【００３１】
こうしてユーザは、画面の表示内容が変化することでＤＶＤプレーヤ２０がユーザの操作を必要としていることを知ることができる。これにより、ユーザは車両を停止するか、赤信号による停止等の機会を待って操作部７０を操作することで次の再生画面の表示に移行することができる。そして、操作後は（ｃ）で示すようにディスプレイ４０に地図情報を表示し、ＤＶＤプレーヤ２０は再生中として音声情報のみを出力する第１のモードに復帰するように切り替わる。
【００３２】
図４は、ＤＶＤプレーヤ２０がユーザの操作を必要とする再生モードの一例を示したものである。図４において、ユーザ操作を必要とする再生モードは、メニューと、スチルと、ボーナスコードの３つのモードが考えられる。メニューモードは、ＤＶＤ−Ｖｉｄｅｏ規格で定められたＶＭＧＭ、ＶＴＳＭのメニューと、ＤＶＤ−Ａｕｄｉｏ規格で定められたＡＭＧＭメニューがある。ＶＭＧＭはトップメニューであり、ＶＴＳＭはその下位層のルートメニューでありチャプター選択等のメニューである。またＡＭＧＭは音声関連のメニューである。
【００３３】
また、スチルモードはＤＶＤ−Ｖｉｄｅｏ規格で定められたものであり、例えば選択項目を有する静止画が動画像の中に表示される場合であり、ボーナスコードのモードは、ＤＶＤ−Ａｕｄｉｏ規格で定められたもので特典トラックや特典曲をパスワードを入力して再生する場合である。
【００３４】
図５は、ＤＶＤプレーヤ２０での再生状態の遷移の一例を説明する図であり、本編の再生画面がＰＴＴ＿１からＰＴＴ＿Ｎの複数のチャプターで構成される場合、最初のチャプターＰＴＴ＿１から順次再生し、最後のチャプターＰＴＴ＿Ｎが再生されると、再び本編に復帰するためにメニュー（ＶＭＧＭ／ＶＴＳＭ）の表示画面に遷移する。メニュー画面が表示されている状態で、ユーザにより選択指示がなされると再び本編の映像が、最初のチャプターから順次再生される。したがって画面は循環的に再生される。場合によっては、最後のチャプターＰＴＴ＿Ｎの再生が終了すると停止状態（ＳＴＯＰ）になる場合もあるが、これは稀な例である。
【００３５】
図６は、システムコントローラ６０による動作フローチャートを示すものである。図６においてＤＶＤ１１での本編の再生が終了し、再び本編への復帰動作が開始（ＳＴＡＲＴ）されると、ステップＳ１ではメニューモードか否かが判別される。メニューモードでない場合（ＮＯ）は、ステップＳ２に移行してスチルモードか否かが判別され、スチルモードでない場合はステップＳ３に移行し、ボーナスコードのモードか否かが判別される。
【００３６】
ステップＳ１において、メニューモードと判別された場合（ＹＥＳ）は、ステップＳ４でユーザ操作が一定時間内に行われたか否かが判別され、ユーザ操作があった場合にはステップＳ５でユーザの指定した箇所のサーチが行われる。
【００３７】
またステップＳ４で所定時間内にユーザ操作がない場合（ＮＯ）は、ステップＳ６においてＤＶＤ２１に記録された自動遷移のコマンドの有無が判別される。コマンドがある場合（ＹＥＳ）はステップＳ５に移行し、コマンドにしたがって自動的に所定の画面を再生するように遷移する。ステップＳ６で自動遷移のコマンドが無い場合（ＮＯ）は、ステップＳ７で現ボタン位置（例えばメニュー画面の「本編を再生」のボタン）を選択し、ステップＳ５に移行して指定の箇所をサーチする。
【００３８】
そしてステップＳ８では表示コントローラ３０を制御して、ナビゲーション装置１０からの地図情報を表示するように切り替えるとともに、ＤＶＤプレーヤ２０からの音声情報を再生する。これにより本編への復帰を終了（ＥＮＤ）する。
【００３９】
また、ステップＳ２でスチルモードと判別された場合は、ステップＳ９でユーザ操作が一定時間内に行われたか否かが判別され、ユーザ操作があった場合（ＹＥＳ）にはステップＳ１０でユーザの指定した箇所のサーチが行われる。またステップＳ９で所定時間内にユーザ操作がない場合（ＮＯ）は、ステップＳ１１に移行し選択ボタンの有無が判別される。
【００４０】
スチルモードの場合、動画像の中に次に進むべき画面を選択するため静止画像が表示され、通常は選択ボタンあり（ＹＥＳ）として次のステップＳ１２に移行し、現ボタン位置（例えばＡとＢの画面選択がある場合、Ａの画面への進行）を自動的に選択してステップＳ１０に移行し、指定の箇所をサーチする。また、稀に選択ボタンがない場合もあり、その場合はステップＳ１１からステップＳ１３に移行し、再生継続処理の操作（例えばＰＬＡＹ操作）を待ってステップＳ１０に移行し、指定の箇所をサーチする。
【００４１】
そしてステップＳ８で表示コントローラ３０を制御して、ナビゲーション装置１０からの地図情報を表示するように切り替えるとともに、ＤＶＤプレーヤ２０からの音声情報を出力する。これにより本編への復帰を終了する。
【００４２】
さらにステップＳ３において、ボーナスコードのモードと判別された場合（ＹＥＳ）は、ステップＳ１４でユーザ操作が一定時間内に行われたか否かが判別され、ユーザ操作があった場合（この場合、パスワードの入力があった場合）にはステップＳ１５に移行し、ユーザの指定した箇所のサーチが行われる。
【００４３】
またステップＳ１４で所定時間内にユーザ操作がない場合（パスワードの入力がない場合）は、ステップＳ１６において次のトラック又は次の曲に順方向にスキップするようにし、ステップＳ１５に移行して指定の箇所をサーチする。
【００４４】
そしてステップＳ８で表示コントローラ３０を制御して、ナビゲーション装置１０からの地図情報を表示するように切り替えるとともに、ＤＶＤプレーヤ２０からの音声情報を出力する。これにより本編への復帰を終了する。
【００４５】
また、ステップＳ３においてボーナスコードのモードでないと判別された場合には終了ステップ（ＥＮＤ）に移行し本編の再生を継続する。
【００４６】
以上述べたように、本発明の表示装置では、ＤＶＤプレーヤ２０が再生中であって音声情報のみをスピーカ５０で出力し、ディスプレイ４０にはナビゲーション装置１０からの地図情報を表示しているモードにおいて、ＤＶＤプレーヤ２０で本編の再生中にユーザ操作を要する再生モードに遷移した場合、遷移したことを検出してナビゲーション装置１０による地図情報の表示形態からＤＶＤプレーヤ２０による映像情報の表示へ自動的に切り替えてユーザに知らせることができる。またユーザ操作後はもとの表示モードに復帰する。また、所定時間内にユーザ操作がない場合には、予めプログラムされた処理を行って自動的に元のモードに切り替わるため、ユーザの切り替え操作を省くことができる。
【００４７】
尚、以上の説明に限定されることなく、特許請求の範囲を逸脱しない範囲内で種々の変形が可能である。
【図面の簡単な説明】
【００４８】
【図１】本発明の表示装置の一実施形態の全体構成を示す概念図。
【図２】同実施形態における細部の構成を説明するブロック図。
【図３】同実施形態における表示コントローラの動作を説明する説明図。
【図４】同実施形態におけるＤＶＤプレーヤでのユーザ操作を要する再生モードを説明する説明図。
【図５】同実施形態におけるＤＶＤプレーヤでの再生画面の遷移を説明する説明図。
【図６】同実施形態におけるシステムコントローラの動作を説明するフローチャート。
【符号の説明】
【００４９】
１０…ナビゲーション装置
１１…記録媒体
１２…ビデオデコーダ
１３…オーディオデコーダ
２０…ディスク再生装置（ＤＶＤプレーヤ）
２１…記録媒体（ＤＶＤ）
２２…ビデオデコーダ
２３…オーディオデコーダ
３０…表示コントローラ
４０…ディスプレイ
５０…スピーカ
６０…システムコントローラ
７０…操作部
８０…音声出力回路
【図１】
0004796801.tif 000002
【図２】
0004796801.tif 000003
【図３】
0004796801.tif 000004
【図４】
0004796801.tif 000005
【図５】
0004796801.tif 000006
【図６】
0004796801.tif 000007